(57)【要約】      （修正有）【課題】良好な視認性で表示装置に情報を表示させる。【解決手段】表示制御装置３は、複数の表示素子を含む表示装置２に表示される１または複数の表示要素のうち、表示要素に割り当てられる表示素子の点灯率が閾値以下の表示要素があるかを判定する判定部２６と、点灯率が前記閾値以下の表示要素があると判定部２６が判定した場合に、１または複数の表示要素に含まれる各表示要素の点灯率がそれぞれ閾値を超えるように、１または複数の表示要素を移動または縮小して表示装置２に表示させる制御部１２と、を含む。【選択図】図２
2017015943.tif 000002
【特許請求の範囲】
【請求項１】
複数の表示素子を含む表示装置に表示される１または複数の表示要素のうち、該表示要素に割り当てられた前記表示素子の点灯率が閾値以下の表示要素があるかを判定する判定部と、
前記点灯率が前記閾値以下の表示要素があると前記判定部が判定した場合に、前記１または複数の表示要素に含まれる各表示要素の前記点灯率がそれぞれ前記閾値を超えるように、１または複数の表示要素を移動または縮小して前記表示装置に表示させる制御部と、
を備えることを特徴とする表示制御装置。
【請求項２】
前記判定部は、前記表示要素ごとに設定された閾値に基づいて、前記点灯率が前記閾値以下の表示要素があるかを判定する、
ことを特徴とする請求項１記載の表示制御装置。
【請求項３】
前記判定部は、前記表示要素を表示する所定領域が分割されたブロックに含まれる１または複数の表示要素のうち前記点灯率が前記閾値以下の表示要素があるかを前記ブロックごとに判定し、
前記制御部は、前記点灯率が前記閾値以下の表示要素があると判定されたブロック内で、１または複数の表示要素を移動または縮小して前記表示装置に表示させる、
ことを特徴とする請求項１または２記載の表示制御装置。
【請求項４】
前記判定部は、前記表示要素を表示する所定領域が分割されたブロックに含まれる１または複数の表示要素のうち前記点灯率が前記閾値以下の表示要素があるかを前記ブロックごとに判定し、
前記制御部は、前記点灯率が前記閾値以下の表示要素があると判定されたブロックと該ブロックに隣接するブロックとを含む領域内で、複数の表示要素を移動または縮小して前記表示装置に表示させる、
ことを特徴とする請求項１または２記載の表示制御装置。
【請求項５】
前記表示装置から前記複数の表示素子のうち故障を生じている表示素子を特定する故障情報を取得する取得部と、
前記複数の表示素子のそれぞれの表示素子と１つの画素とが対応付けられた画像データに含まれる複数の画素に、前記表示装置に表示させる１または複数の表示要素が割り当てられ、且つ前記故障情報が反映された第１画像データと、該第１画像データに対して前記移動または縮小を反映させた第２画像データとを表示する画面部と、
をさらに備えることを特徴とする請求項１乃至４のうち何れか１項に記載の表示制御装置。
【請求項６】
前記第１画像データまたは前記第２画像データの選択を受け付けた場合、前記制御部は、選択を受け付けた画像データに基づく表示を前記表示装置にさせる制御を行い、
前記第１画像データおよび前記第２画像データの選択を受け付けない場合、前記表示装置を非表示にする制御を行う、
ことを特徴とする請求項５記載の表示制御装置。
【請求項７】
複数の表示素子を含む表示装置と、
前記表示装置に対して表示制御を行う表示制御装置と、を備え、
前記表示制御装置は、
前記１または複数の表示要素のうち、該表示要素に割り当てられた前記表示素子の点灯率が閾値以下の表示要素があるかを判定する判定部と、
前記点灯率が前記閾値以下の表示要素があると前記判定部が判定した場合に、前記１または複数の表示要素に含まれる各表示要素の前記点灯率がそれぞれ前記閾値を超えるように、１または複数の表示要素を移動または縮小して前記表示装置に表示させる制御部と、
を備えることを特徴とする表示制御システム。
【請求項８】
複数の表示素子を含む表示装置に表示される１または複数の表示要素のうち、該表示要素に割り当てられた前記表示素子の点灯率が閾値以下の表示要素があるかを判定し、
前記点灯率が前記閾値以下の表示要素があると判定された場合に、前記１または複数の表示要素に含まれる各表示要素の前記点灯率がそれぞれ前記閾値を超えるように、１または複数の表示要素を移動または縮小して前記表示装置に表示させる、
処理をコンピュータが実行することを特徴とする表示制御方法。
【請求項９】
複数の表示素子を含む表示装置に表示される１または複数の表示要素のうち、該表示要素に割り当てられた前記表示素子の点灯率が閾値以下の表示要素があるかを判定し、
前記点灯率が前記閾値以下の表示要素があると判定された場合に、前記１または複数の表示要素に含まれる各表示要素の前記点灯率がそれぞれ前記閾値を超えるように、１または複数の表示要素を移動または縮小して前記表示装置に表示させる、
処理をコンピュータに実行させるための表示制御プログラム。
【発明の詳細な説明】
【技術分野】
【０００１】
本発明は、表示制御装置、表示制御システム、表示制御方法および表示制御プログラムに関する。
【背景技術】
【０００２】
複数の表示素子を利用して情報を表示する表示装置が実用化されている。例えば、高速道路等に設置される道路情報板は、複数のLight Emitting Diode(LED)を用いて、交通情報を表示する。道路表示板は、外部環境に曝されているため、雨や風等の影響を受けて、ＬＥＤに故障を生じる可能性がある。
【０００３】
道路表示板のＬＥＤに故障が生じると、道路表示板に情報が正常に表示されなくなることがある。関連する技術として、異常表示ユニットに表示図柄が掛かる場合に、表示図柄を、異常表示ユニット以外の表示ユニットを用いた新たな表示図柄に変換する技術が提案されている（例えば、特許文献１参照）。
【先行技術文献】
【特許文献】
【０００４】
【特許文献１】特開平７−１９９８５１号公報
【発明の概要】
【発明が解決しようとする課題】
【０００５】
表示装置の複数のＬＥＤにより所定の情報を表示する場合、情報を表示するためのＬＥＤのうち、故障しているＬＥＤの数が多くなると、表示されている情報の視認性が低下する。この場合、良好な視認性で情報が表示装置に表示されなくなる。
【０００６】
１つの側面として、本発明は、良好な視認性で表示装置に情報を表示させることを目的とする。
【課題を解決するための手段】
【０００７】
１つの態様では、表示制御装置は、判定部と制御部とを含む。判定部は、複数の表示素子を含む表示装置に表示される１または複数の表示要素のうち、表示要素に割り当てられる表示素子の点灯率が閾値以下の表示要素があるかを判定する。
【０００８】
制御部は、点灯率が閾値以下の表示要素があると判定部が判定した場合に、１または複数の表示要素に含まれる各表示要素の点灯率がそれぞれ閾値を超えるように、１または複数の表示要素を移動または縮小して表示装置に表示させる。
【発明の効果】
【０００９】
１つの側面として、良好な視認性で表示装置に情報を表示させることができる。
【図面の簡単な説明】
【００１０】
【図１】道路表示板の表示例を示す図（その１）である。
【図２】実施形態の表示制御システムの一例を示す図である。
【図３】記憶部に記憶されるテーブルの一例を示す図である。
【図４】道路表示板の表示例を示す図（その２）である。
【図５】画像データのうち一部の領域の一例を示す図（その１）である。
【図６】道路表示板の表示例を示す図（その３）である。
【図７】画像データのうち一部の領域の一例を示す図（その２）である。
【図８】表示文字列の移動の前後の画像データの一例を示す図（その１）である。
【図９】道路表示板の表示例を示す図（その４）である。
【図１０】道路表示板の表示例を示す図（その５）である。
【図１１】表示文字列の移動の前後の画像データの一例を示す図（その２）である。
【図１２】表示文字列の縮小の前後の画像データの一例を示す図である。
【図１３】道路表示板の表示例を示す図（その６）である。
【図１４】道路表示板の表示例を示す図（その７）である。
【図１５】表示文字列の移動の前後の画像データの一例を示す図（その３）である。
【図１６】道路表示板の表示例を示す図（その８）である。
【図１７】道路表示板の表示例を示す図（その９）である。
【図１８】表示図形の移動の前後の画像データの一例を示す図である。
【図１９】道路表示板の表示例を示す図（その１０）である。
【図２０】実施形態の処理の流れの一例を示すフローチャート（その１）である。
【図２１】実施形態の処理の流れの一例を示すフローチャート（その２）である。
【図２２】実施形態の処理の流れの一例を示すフローチャート（その３）である。
【図２３】道路表示板の他の例を示す図である。
【図２４】変形例の表示制御システムの一例を示す図である。
【図２５】変形例の画面部の表示例を示す図である。
【図２６】変形例の処理の流れの一例を示すフローチャート（その１）である。
【図２７】変形例の処理の流れの一例を示すフローチャート（その２）である。
【図２８】表示制御装置のハードウェア構成の一例を示す図である。
【発明を実施するための形態】
【００１１】
＜実施形態の道路表示板の一例＞
以下、図面を参照して、実施形態について説明する。図１は、道路表示板１の一例を示している。道路表示板１は、例えば高速道路や一般道路等の道路の上部に設置される。道路表示板１は、ＬＥＤ表示部２を含む。道路表示板１は、複数の表示素子を含む表示装置の一例である。
【００１２】
実施形態では、ＬＥＤ表示部２には、複数のＬＥＤが縦横に配列されているものとする。ＬＥＤは表示素子の一例である。表示素子は、ＬＥＤには限定されない。例えば、表示素子は、ランプ等であってもよい。
【００１３】
ＬＥＤ表示部２の各ＬＥＤが点灯または消灯することにより、ＬＥＤ表示部２には所定の情報が表示される。例えば、図１の例の場合、ＬＥＤ表示部２は、「東京」と「横浜」との間に「事故通行止」が発生していることを表示している。各ＬＥＤの点灯状態（点灯しているか、または消灯しているかの状態）が変化することにより、ＬＥＤ表示部２に表示される情報は変化する。
【００１４】
道路表示板１のＬＥＤ表示部２は、外部環境に曝されており、雨や風等の影響により、ＬＥＤに断線や短絡等の故障が発生する場合がある。故障が発生したＬＥＤは、点灯しない。従って、ＬＥＤ表示部２に表示される情報のうち、故障が発生したＬＥＤを使用している箇所は欠落する。
【００１５】
実施形態では、表示装置が道路表示板である場合について説明するが、表示装置は道路表示板には限定されない。例えば、表示装置は、鉄道の車両内に設置された表示案内板等であってもよい。
【００１６】
＜実施形態の表示制御装置および道路表示板の一例＞
図２は、複数の道路表示板１と表示制御装置３とを含む表示制御システム４の一例を示している。図２の例では、表示制御装置３と複数の道路表示板１とは、ネットワークＮＷを介して接続されている。なお、表示制御装置３に接続される道路表示板１は１つであってもよい。
【００１７】
表示制御装置３は、道路表示板１のＬＥＤ表示部２に所定の情報が表示されるように表示制御を行う。表示制御装置３は、例えば、プロセッサおよびメモリを含むコンピュータにより実現される。
【００１８】
実施形態では、表示制御装置３は、道路表示板１のＬＥＤ表示部２に交通情報を表示させる制御を行うものとする。表示制御装置３は、例えば、道路管制センター等に設置される。
【００１９】
図２の例に示すように、道路表示板１は、ＬＥＤ表示部２と道路表示板制御部１０とを含む。道路表示板制御部１０は、第１通信部１１とＬＥＤ制御部１２と故障ＬＥＤ検出部１３とを含む。
【００２０】
第１通信部１１は、ネットワークＮＷを介して、表示制御装置３と通信を行う。ＬＥＤ制御部１２は、表示制御装置３による表示制御に基づいて、ＬＥＤ表示部２に含まれる各ＬＥＤの点灯制御（点灯または消灯させる制御）を行う。この点灯制御により、ＬＥＤ表示部２には任意の交通情報が表示される。
【００２１】
実施形態では、ＬＥＤ制御部１２は、表示制御装置３から受信した画像データに基づいて、各ＬＥＤの点灯制御を行う。画像データの１画素（１ピクセル）は、ＬＥＤ表示部２の１つのＬＥＤ（以下、１つのＬＥＤを１ドットと称することもある）に対応している。
【００２２】
故障ＬＥＤ検出部１３は、ＬＥＤ表示部２に含まれる各ＬＥＤのうち、故障しているＬＥＤを検出する。例えば、故障ＬＥＤ検出部１３は、ＬＥＤが接続されているユニットの電圧や電流等に基づいて、故障しているＬＥＤを検出してもよい。
【００２３】
故障ＬＥＤ検出部１３は、ＬＥＤ表示部２に含まれるＬＥＤに故障が生じている場合、故障しているＬＥＤが特定された故障情報を作成する。上述したように、実施形態のＬＥＤ表示部２には、複数のＬＥＤが縦横に配列されている。
【００２４】
例えば、故障したＬＥＤは、縦横に配列されたＬＥＤの行番号と列番号とにより特定されてもよい。この場合、故障情報は、行番号と列番号とを含む情報であってもよい。故障ＬＥＤ検出部１３は、複数のＬＥＤに故障が生じていることを検出した場合には、故障している複数のＬＥＤをそれぞれ特定した故障情報を作成する。
【００２５】
次に、表示制御装置３について説明する。表示制御装置３は、第２通信部２１と画像データ作成部２２と故障情報取得部２３と故障情報反映部２４と算出部２５と判定部２６と記憶部２７と表示制御部２８とを含む。第２通信部２１は、ネットワークＮＷを介して、各道路表示板１の第１通信部１１と通信を行う。
【００２６】
画像データ作成部２２は、道路表示板１のＬＥＤ表示部２に交通情報を表示させるための画像データを作成する。交通情報は、道路交通に関する情報であり、例えば、道路の規制や渋滞等の情報であってもよい。画像データ作成部２２には、例えば、交通情報を管理する装置等から交通情報が入力される。
【００２７】
ＬＥＤ表示部２に表示される交通情報は、１または複数の表示要素を含む。表示要素は、文字であってもよいし、シンボル等の図形であってもよい。
【００２８】
画像データ作成部２２は、ＬＥＤ表示部２に縦横に配列された各ＬＥＤにそれぞれ対応する画素が配列された画像データのうち複数の画素を１つの表示要素に割り当てる。交通情報が複数の表示要素を含む場合、画像データ作成部２２は、各表示要素のそれぞれに複数の画素を割り当てる。これにより、交通情報を表す１または複数の表示要素が画像データに反映される。
【００２９】
画像データ作成部２２は、交通情報がＬＥＤ表示部２に表示されたときに、各表示要素が適正な位置およびサイズで表示されるように、各表示要素を画像データに反映させる。以下、交通情報は、複数の表示文字で表される例について説明する。なお、交通情報が表示文字と表示図形とを含む例を後述する。
【００３０】
故障情報取得部２３は、ネットワークＮＷを介して、道路表示板１から故障情報を取得する。上述したように、故障情報は、故障ＬＥＤ検出部１３により作成される。故障情報取得部２３は、取得部の一例である。
【００３１】
故障情報反映部２４は、画像データ作成部２２が作成した画像データに故障情報を反映する。故障情報は故障しているＬＥＤを特定する情報である。画像データの１画素とＬＥＤ表示部２の１つのＬＥＤ（１ドット）とは対応している。このため、画像データに故障情報が反映されると、画像データにおいて故障しているＬＥＤに対応する画素が特定される。
【００３２】
ネットワークＮＷを介して、表示制御装置３が複数の道路表示板１と接続されている場合、故障情報反映部２４は、複数の道路表示板１のそれぞれについて、故障情報を画像データに反映する。
【００３３】
算出部２５は、故障情報が反映された画像データに含まれる各表示文字のそれぞれの点灯率を算出する。点灯率は、表示文字がＬＥＤ表示部２に表示された場合、該表示文字に割り当てられた複数のＬＥＤのうち、点灯するＬＥＤ（故障していないＬＥＤ）の率を示す。
【００３４】
上述したように、画像データの１画素とＬＥＤ表示部２の１つのＬＥＤとは対応している。また、故障情報取得部２３は、ＬＥＤ表示部２のうち、故障しているＬＥＤを特定する故障情報を取得している。
【００３５】
算出部２５は、表示文字に割り当てられた画素の個数から、該表示文字に割り当てられた画素のうち故障しているＬＥＤに対応する画素の個数を減ずることにより、点灯するＬＥＤに対応する画素の個数を算出してもよい。
【００３６】
算出部２５は、表示文字に割り当てられた画素のうち点灯するＬＥＤに対応する画素の個数を、表示文字に割り当てられた画素の個数で除算することにより、表示文字の点灯率を算出してもよい。
【００３７】
表示文字に割り当てられている画素の個数と、点灯するＬＥＤに対応する画素の個数とが同じであれば、点灯率は１００％になる。一方、表示文字に割り当てられている画素のうち点灯するＬＥＤに対応する画素の個数が少なくなるほど、点灯率は低くなる。
【００３８】
ネットワークＮＷを介して、表示制御装置３が複数の道路表示板１と接続されている場合、算出部２５は、複数の道路表示板１のそれぞれについて、各表示文字の点灯率を算出する。
【００３９】
判定部２６は、算出部２５が算出した表示文字の点灯率を、該表示文字の点灯率の閾値と比較し、表示文字ごとに、点灯率が閾値以下であるかを判定する。判定部２６は、記憶部２７に記憶されているテーブルを参照して、表示文字の閾値を認識する。
【００４０】
記憶部２７について説明する。記憶部２７は、表示文字と点灯率の閾値との対応関係をテーブル形式で記憶する。図３は、記憶部２７が記憶するテーブルの一例を示している。図３の例のテーブルは、名称と表示文字と漢字コードとドット数と閾値（点灯率）と閾値（ドット数）との項目を含む。
【００４１】
名称は、表示文字の名称である。表示文字は、画像データに反映される表示文字のデータである。漢字コードは、表示文字のコードである。ドット数は、ＬＥＤ表示部２の複数のＬＥＤのうち、表示文字に割り当てられるＬＥＤの数を示す。ドット数は、画像データにおける表示文字に割り当てられる画素の個数（画素数）でもある。
【００４２】
閾値（点灯率）は、表示文字の閾値を百分率で示した値である。閾値（ドット数）は、表示文字のドット数に閾値（点灯率）を乗じた値である。以下、閾値（点灯率）を単に閾値と称する。閾値は、任意の値に設定されてよい。
【００４３】
閾値は、例えば、表示文字の視認性が良好であるかを判定するために使用されてもよい。実施形態では、表示文字の点灯率が閾値を超えている場合、表示文字の点灯率は１００％でなくても、良好な視認性でＬＥＤ表示部２に表示される。一方、表示文字の点灯率が閾値以下の場合、表示文字の視認性は低下し、ＬＥＤ表示部２には良好な視認性で表示文字が表示されなくなる。
【００４４】
図３の例に示すように、記憶部２７は、各表示文字にそれぞれ対応した閾値を記憶する。例えば、表示文字が複雑である場合（画数の多い漢字等の場合）、閾値は高く設定されてもよい。また、表示文字が複雑でない場合（画数の少ない漢字等の場合）、閾値は低く設定されてもよい。
【００４５】
従って、判定部２６は、記憶部２７のテーブルを参照して比較を行うことで、表示文字ごとに設定された閾値に基づいて、表示文字の点灯率が閾値以下であるかを判定する。このため、複数種類の表示文字のそれぞれに応じた適切な判定が行われる。
【００４６】
ネットワークＮＷを介して、表示制御装置３が複数の道路表示板１と接続されている場合、判定部２６は、複数の道路表示板１のそれぞれについて、各表示文字の点灯率が閾値以下であるかを判定する。
【００４７】
表示制御部２８は、道路表示板１のＬＥＤ表示部２に表示される１または複数の表示文字の表示制御を行う。表示制御部２８は、制御部の一例である。
【００４８】
表示制御部２８は、画像データ作成部２２が作成した画像データ、または該画像データに対して所定の画像処理が行われた画像データに基づく表示がされるように、道路表示板１のＬＥＤ表示部２の表示制御を行う。
【００４９】
実施形態では、表示制御部２８は、画像データが道路表示板１に送信されるように、第２通信部２１を制御する。道路表示板１の第１通信部１１は、ネットワークＮＷを介して第２通信部２１から画像データを受信し、ＬＥＤ制御部１２は、画像データに含まれる各画素のうち、表示文字に割り当てられた画素に対応するＬＥＤを点灯させる。
【００５０】
表示制御部２８は、点灯率が閾値以下であると判定された表示文字が画像データに含まれる場合、画像データに含まれる１または複数の表示文字を移動または縮小する画像処理を行う。
【００５１】
上述したように、ＬＥＤ制御部１２は、画像データに基づいて、ＬＥＤ表示部２の各ＬＥＤの点灯制御を行う。表示制御部２８が、１または複数の表示文字を移動または縮小する画像処理を画像データに対して行った場合、ＬＥＤ制御部１２は、表示文字が移動または縮小された画像データに基づいて、各ＬＥＤの点灯制御を行う。
【００５２】
これにより、表示制御部２８は、ＬＥＤ表示部２に表示される１または複数の表示文字の表示制御を行う。
【００５３】
以下、点灯率が閾値以下であると判定された表示文字が画像データに含まれる場合において、表示制御部２８が該表示文字を含む複数の表示文字（以下、表示文字列と称する）を移動または縮小する例について説明する。
【００５４】
表示制御部２８は、表示文字列の移動と縮小との何れか一方を行う場合もあり、移動と縮小との両方を行う場合もある。なお、表示制御部２８は、１つの表示文字を移動または縮小してもよい。
【００５５】
一方、画像データに含まれる各表示文字の点灯率が閾値を超えている場合、各表示文字の点灯率は高い。この場合、良好な視認性で各表示文字はＬＥＤ表示部２に表示されるため、表示制御部２８は、表示文字の移動および縮小を行わない。
【００５６】
画像データ作成部２２は、交通情報がＬＥＤ表示部２に表示されたときに、各表示文字が適正な位置およびサイズで表示される画像データを作成する。従って、高い点灯率で各表示文字がＬＥＤ表示部２に表示されている場合、表示文字の移動または縮小が行われると、却って視認性が低下するおそれがある。
【００５７】
このため、表示制御部２８は、画像データに含まれる各表示文字の点灯率が閾値を超えている場合、各表示文字の移動および縮小を行わない。この場合、道路表示板１のＬＥＤ表示部２には適正な位置およびサイズで、点灯率が高い各表示文字が表示される。従って、良好な視認性で交通情報がＬＥＤ表示部２に表示される。
【００５８】
ネットワークＮＷを介して、表示制御装置３が複数の道路表示板１と接続されている場合、表示制御部２８は、各道路表示板１に対して個別的に表示制御を行う。
【００５９】
なお、表示制御部２８は、画像データを使用する方法以外の方法で、ＬＥＤ表示部２に表示される１または複数の表示文字の表示制御を行ってもよい。例えば、表示制御部２８は、ＬＥＤ表示部２の各ＬＥＤを個別的に点灯または消灯させる制御信号を道路表示板１に送信し、ＬＥＤ制御部１２が各ＬＥＤの点灯制御を行うようにしてもよい。
【００６０】
＜具体例＞
図４は、ＬＥＤ表示部２の各ＬＥＤのうち、一部の領域のＬＥＤが故障している場合の道路表示板１の一例を示している。図４の例のうち、網掛けが施されている領域は、ＬＥＤが故障している領域（以下、故障領域３０とする）である。故障領域３０には、複数のＬＥＤが含まれる。
【００６１】
図４の例では、ＬＥＤ表示部２に表示されている各表示文字のうち、「止」の表示文字の一部が故障領域３０に含まれる。従って、「止」の表示文字に割り当てられた複数のＬＥＤのうち、故障領域３０に含まれるＬＥＤは点灯しない。
【００６２】
ただし、「止」の表示文字に割り当てられた複数のＬＥＤのうち、故障しているＬＥＤは僅かであり、残りの殆どのＬＥＤは点灯している。従って、「止」の表示文字の点灯率は高くなり、該表示文字は良好な視認性でＬＥＤ表示部２に表示される。
【００６３】
故障情報取得部２３は、ネットワークＮＷを介して、道路表示板１の故障ＬＥＤ検出部１３から、故障しているＬＥＤを特定する故障情報を取得する。故障情報反映部２４は、取得された故障情報を、画像データ作成部２２が作成した画像データに反映する。
【００６４】
算出部２５は、故障情報が反映された画像データに基づいて、各表示文字の点灯率を算出する。図５は、故障情報が反映された画像データのうち、「止」の表示文字を含む一部の領域の一例を示している。
【００６５】
図５の例において、１つの升目は画像データの１画素を示している。つまり、１つの升目は、ＬＥＤの１ドットに対応する。黒塗りの升目は、点灯しているＬＥＤに対応する画素を表している。この画素を、第１画素３１と称する。
【００６６】
図５の例のうち、太線で囲まれた升目の画素は、「止」という表示文字に割り当てられたＬＥＤであり、且つ故障しているＬＥＤに対応する画素である。この画素を、第２画素３２と称する。第２画素３２に対応するＬＥＤは点灯しない。
【００６７】
図５の例の場合、第１画素３１の個数は３８であり、第２画素３２の個数は２である。第１画素３１の個数と第２画素３２の個数との合計（＝４０）が「止」という表示文字に割り当てられた画素の個数である。
【００６８】
この画素の個数は、ＬＥＤ表示部２に含まれる各ＬＥＤのうち、「止」という表示文字に割り当てられたＬＥＤの数でもある。表示文字に割り当てられる画素数（ＬＥＤの数）は、図５の例には限定されない。
【００６９】
算出部２５は、第１画素３１の個数（＝３８）を、第１画素３１の個数と第２画素３２の個数との合計（＝４０）で除算する。この場合、「止」の表示文字の点灯率は「９５．０％」である。
【００７０】
判定部２６は、記憶部２７のテーブルのうち「止」の表示文字の閾値（＝８０％）を参照して、該閾値と上記の点灯率とを比較する。この場合、判定部２６は、「止」の表示文字の点灯率が閾値を超えていると判定する。
【００７１】
ＬＥＤ表示部２のうち故障しているＬＥＤは、故障領域３０に含まれるＬＥＤであり、他のＬＥＤは点灯する。故障領域３０と重複する表示文字は「止」である。よって、「止」以外の各表示文字の点灯率は１００％であり、閾値を超えている。
【００７２】
従って、ＬＥＤ表示部２に表示される各表示文字の点灯率は閾値を超えている。この場合、表示制御部２８は、画像データの表示文字列を移動または縮小しない。このため、表示制御部２８は、画像データ作成部２２が作成した画像データが道路表示板１に送信されるように制御を行う。
【００７３】
道路表示板１のＬＥＤ制御部１２は、画像データ作成部２２が作成した画像データに基づいて、ＬＥＤ表示部２の各ＬＥＤの点灯制御を行う。これにより、ＬＥＤ表示部２には、適正な位置およびサイズで各表示文字が表示されるため、良好な視認性で交通情報がＬＥＤ表示部２に表示される。
【００７４】
図６は、ＬＥＤ表示部２の「止」の表示文字に割り当てられた各ＬＥＤのうち、故障しているＬＥＤの数が図４の例の場合よりも多い例を示している。図６の例の場合、「止」の表示文字の点灯率は低くなるため、該表示文字の視認性が低下する。
【００７５】
図７の例において、第１画素３１の個数は３１であり、第２画素３２の個数は９である。算出部２５は、第１画素３１の個数（＝３１）を、第１画素３１と第２画素３２との合計の個数（＝４０）で除算する。この場合、「止」の表示文字の点灯率は「７７．５％」である。
【００７６】
従って、判定部２６は、「止」の表示文字の点灯率が閾値（＝８０％）以下であると判定する。この場合、ＬＥＤ表示部２に表示される「止」の表示文字の視認性が低下し、道路を利用する利用者に対して、正しい交通情報が提供されない可能性がある。
【００７７】
この場合、表示制御部２８は、画像データに対して、点灯率が閾値以下の表示文字を含む表示文字列を移動または縮小する画像処理を行う。図８は、事故を原因とした道路規制に関する交通情報をＬＥＤ表示部２に表示させるための画像データ４０の一例を示している。
【００７８】
図８のうち、「移動前」の画像データ４０は、画像データ作成部２２が作成した画像データ４０の一例を示している。また、「移動後」の画像データ４０は、表示制御部２８が表示文字列を移動させる画像処理を行った後の画像データ４０を示している。
【００７９】
実施形態では、画像データ４０の所定領域が複数のブロックに分割される。図８の例の画像データ４０は、所定領域が４つのブロックＢ１乃至Ｂ４に分割された例を示している。図８の例では、各ブロックは一点鎖線で区切られている。
【００８０】
各ブロックには、表示文字列が含まれる。実施形態では、１つのブロックに含まれる表示文字列は少なくとも１つの単語を含むものとする。
【００８１】
判定部２６は、各ブロックのそれぞれについて、表示文字列に点灯率が閾値以下の表示文字があるかを判定する。点灯率が閾値以下の表示文字があると判定された場合、表示制御部２８は、点灯率が閾値以下の表示文字を含むブロック内または該ブロックに隣接する他のブロックも含めた複数のブロックの領域内で表示文字列の移動または縮小を行う。
【００８２】
画像データ４０のうち、「東京」の表示文字列はブロックＢ１に含まれる。「―横浜」の表示文字列はブロックＢ２に含まれる。「事故」の表示文字列はブロックＢ３に含まれる。「通行止」の表示文字列はブロックＢ４に含まれる。
【００８３】
図８の例では、ブロックＢ１およびブロックＢ２に含まれる表示文字列は、道路規制の区間の始点または終点を示す。ブロックＢ３に含まれる表示文字列は、道路規制の原因を示す。ブロックＢ４に含まれる表示文字列は、道路規制という事象を示す。
【００８４】
表示制御部２８は、あるブロックにおいて、隣接する他のブロックとの境界に最も近い表示文字の点灯率が閾値以下の場合、点灯率が閾値以下の表示文字を含むブロック内で表示文字列を移動する。
【００８５】
一方、あるブロックにおいて、隣接する他のブロックとの境界に最も近い表示文字以外の表示文字の点灯率が閾値以下の場合、表示制御部２８は、隣接する他のブロックも含めた領域内で表示文字列を移動する。
【００８６】
図８の例において、ブロックＢ４において、隣接する他のブロックＢ３との境界に最も近い表示文字以外の表示文字である「止」の点灯率が閾値以下であると判定されたとする。また、ブロックＢ４以外の他のブロックには点灯率が閾値以下の表示文字が含まれていないと判定されたとする。
【００８７】
この場合、表示制御部２８は、ブロックＢ３および該ブロックＢ３に隣接するブロックＢ４を含めた領域内で表示文字列の移動または縮小を行う。図８の例の場合、表示制御部２８は、ブロックＢ３に含まれる「事故」とブロックＢ４に含まれる「通行止」とを結合した「事故通行止」という表示文字列を移動する。
【００８８】
図８の例において、ブロックＢ１およびブロックＢ２は、点灯率が閾値以下の表示文字を含んでいないため、表示制御部２８は、ブロックＢ１およびブロックＢ２に含まれる表示文字列の移動または縮小を行わない。
【００８９】
表示制御部２８は、ブロックＢ３およびブロックＢ４を含めた領域内で表示文字列を移動させながら、表示文字列に含まれる各表示文字の点灯率が閾値を超える領域を検出する。例えば、表示制御部２８が表示文字列を移動させるごとに、判定部２６は表示文字列に含まれる各表示文字の点灯率が閾値を超えるかを判定してもよい。
【００９０】
表示制御部２８は、ブロックＢ３およびブロックＢ４の２つの領域のうち、故障を生じていないＬＥＤに対応する画素の存在率が最も高い領域を検出し、該領域に表示文字列を移動させてもよい。この場合、表示文字列に含まれる各表示文字の点灯率が閾値を超える可能性が高くなる。
【００９１】
表示文字列が移動される領域は、ブロックＢ３およびブロックＢ４の２つのブロックを含む領域であり、該領域は、１つのブロックの領域よりも広範な領域になる。表示制御部２８は、広範な領域の中で表示文字列の移動を行うため、表示文字列に含まれる各表示文字の点灯率が閾値を超える領域を検出しやすくなる。
【００９２】
図８の「移動後」の画像データ４０では、「事故通行止」の表示文字列に含まれる各表示文字列の点灯率は閾値を超えているものとする。
【００９３】
表示制御部２８は、「移動後」の画像データ４０を道路表示板１に送信する制御を行う。ＬＥＤ制御部１２は、画像データ４０に基づいて、ＬＥＤ表示部２の各ＬＥＤの点灯制御を行う。これにより、ＬＥＤ表示部２には、図９の例に示されるような交通情報が表示される。
【００９４】
ＬＥＤ表示部２には、移動後の「止」の表示文字が高い点灯率で表示される。このため、ＬＥＤ表示部２の各表示文字の点灯率は高くなり、ＬＥＤ表示部２には、良好な視認性で交通情報が表示される。
【００９５】
次に、表示文字列の縮小が行われる例について説明する。図１０は、故障領域３０がさらに広くなり、「止」の表示文字の点灯率がさらに低下している場合の道路表示板１の表示例を示している。図１１は、「移動前」の画像データ４０および「移動後」の画像データ４０の一例を示している。
【００９６】
図８に示した例と同様に、表示制御部２８は、ブロックＢ３およびブロックＢ４の領域内で「事故通行止」という表示文字列を移動させる。
【００９７】
表示制御部２８は、「事故通行止」という表示文字列を、「止」という表示文字の位置から離間する方向に移動させる。図１１の「移動後」の画像データ４０は、表示制御部２８が、故障を生じていないＬＥＤに対応する画素の存在率が最も高い領域に表示文字列を移動させた例を示している。
【００９８】
しかし、この例では、故障領域３０が広いため、上述の移動を行っても、移動後の「止」という表示文字の点灯率は依然として閾値以下である。なお、ブロックＢ３およびブロックＢ４において、「事故通行止」という表示文字列の全ての表示文字の点灯率が閾値を超える領域が検出されなかったとする。
【００９９】
例えば、ＬＥＤ表示部２に、図１１の「移動後」の画像データ４０に基づく交通情報が表示された場合、「止」という表示文字は、点灯率が閾値以下のため、ＬＥＤ表示部２に良好な視認性で表示されない。
【０１００】
この場合、表示制御部２８は、「事故文字列」という表示文字を所定の縮尺（例えば、９０％）で縮小する。図１２の「縮小前」の画像データ４０は、図１１の「移動後」の画像データ４０である。
【０１０１】
図１２の「縮小後」の画像データ４０は、「縮小前」の画像データ４０に含まれる「事故通行止」の表示文字列が、表示制御部２８により縮小された例を示している。この表示文字列が縮小された場合、「止」の表示文字の点灯率は閾値を超えているものとする。この場合、画像データ４０に含まれる各表示文字の点灯率は閾値を超える。
【０１０２】
表示制御部２８は、「事故通行止」という表示文字列が移動および縮小された画像データ４０を道路表示板１に送信する制御を行う。ＬＥＤ制御部１２は、画像データ４０に基づいて、ＬＥＤ表示部２の各ＬＥＤの点灯制御を行う。
【０１０３】
図１３の例に示されるように、「事故通行止」という表示文字列は移動および縮小がされているが、各表示文字の点灯率は高い。このため、表示文字列全体としての視認性は良好である。すなわち、ＬＥＤ表示部２に表示された各表示文字の点灯率は高いため、良好な視認性で交通情報がＬＥＤ表示部２に表示される。
【０１０４】
次に、あるブロックにおいて、隣接する他のブロックとの境界に最も近い表示文字の点灯率が閾値以下の場合について説明する。図１４は、ＬＥＤ表示部２に表示される交通情報のうち、「故」という表示文字に割り当てられたＬＥＤのうち多くのＬＥＤが故障領域３０に含まれている例を示している。
【０１０５】
図１４の例の場合、「故」の表示文字の点灯率は閾値以下であるとする。図１５の「移動前」の画像データ４０は、図１４のＬＥＤ表示部２の各ＬＥＤの故障情報を反映した画像データの例である。
【０１０６】
この場合、表示制御部２８は、ブロックＢ３内で「事故」という表示文字列に含まれる各表示文字の点灯率が閾値を超える領域を検出して、該領域に表示文字列を移動させる。図１５の「移動後」の画像データ４０は、「事故」という表示文字列が移動された後に、表示文字列に含まれる各表示文字の点灯率が閾値を超えた例を示している。
【０１０７】
表示制御部２８は、「移動後」の画像データ４０に基づいて、各表示文字がＬＥＤ表示部２に表示されるように制御する。これにより、図１６の例に示されるように、ＬＥＤ表示部２には、「故」という表示文字が良好な視認性で表示される。よって、ＬＥＤ表示部２には、良好な視認性で交通情報が表示される。
【０１０８】
上述したように、画像データ作成部２２は、適正な位置およびサイズで各表示文字をＬＥＤ表示部２に表示させる画像データ４０を作成する。このため、視認性の観点から、移動または縮小される表示文字の数は少ない方が好ましい。
【０１０９】
表示制御部２８がブロックＢ３に含まれる表示文字列を移動し、他のブロックに含まれる表示文字列を移動しない場合、移動される表示文字の数は少なくなる。これにより、ＬＥＤ表示部２には、良好な視認性で交通情報が表示される。
【０１１０】
なお、「事故」という表示文字列が移動されても、「故」という表示文字の点灯率が閾値以下の場合、表示制御部２８は、故障していないＬＥＤに対応する画素の存在率が高い領域で「事故」という表示文字列を縮小してもよい。
【０１１１】
上述した例では、表示制御部２８は、表示文字列の移動を行い、その後に該表示文字列の縮小を行う例について説明したが、表示制御部２８は、表示文字列の縮小だけを行ってもよい。また、表示制御部２８は、表示文字列の縮小を行った後に、該表示文字列を移動してもよい。
【０１１２】
次に、表示図形について説明する。上述したように、表示要素は、交通標識を表すシンボル等の表示図形であってもよい。図１７は、交通情報が、表示文字と表示図形とを組み合わせた情報である例を示している。図１７の例では、表示図形Ｆに割り当てられたＬＥＤのうち多くのＬＥＤが故障領域３０に含まれている。
【０１１３】
図１８の例において、「移動前」のブロックＢ４に含まれる表示図形Ｆの点灯率は閾値以下であるとする。表示制御部２８は、ブロックＢ４に含まれる表示図形Ｆを矢印の方向に移動する。これにより、「移動後」の画像データ４０における表示図形Ｆの点灯率は閾値を超える。
【０１１４】
図１９は、「移動後」の画像データ４０に基づくＬＥＤ表示部２の表示例を示している。ＬＥＤ表示部２には、表示図形Ｆが良好な視認性で表示される。これにより、ＬＥＤ表示部２には、良好な視認性で交通情報が表示される。
【０１１５】
＜実施形態のフローチャートの一例＞
次に、図２０乃至図２２のフローチャートを参照して、実施形態の処理の流れの一例について説明する。図２０に示されるように、最初に、画像データ作成部２２は、交通情報が反映された画像データを作成する（ステップＳ１）。
【０１１６】
例えば、新たに道路規制等が発生した場合、画像データ作成部２２には、交通情報が入力される。そして、画像データ作成部２２は、交通情報を表す各表示文字のそれぞれを画像データの複数の画素に割り当てることで、交通情報が反映された画像データを作成する。
【０１１７】
故障情報取得部２３は、ネットワークＮＷを介して、各道路表示板１の故障ＬＥＤ検出部１３から故障情報を取得する。これにより、各道路表示板１のＬＥＤ表示部２の故障情報が収集される（ステップＳ２）。
【０１１８】
ステップＳ３以降の処理は、各道路表示板１のそれぞれについて行われる。故障情報反映部２４は、画像データ作成部２２が作成した画像データ４０に対して、取得された故障情報を反映する（ステップＳ３）。
【０１１９】
故障情報が反映された画像データ４０には１または複数の表示文字が含まれる。算出部２５は、画像データ４０に含まれる各表示文字のそれぞれについて、点灯率を算出する（ステップＳ４）。
【０１２０】
判定部２６は、記憶部２７のテーブルを参照して、点灯率が閾値以下の表示文字があるかを表示文字ごとに判定する（ステップＳ５）。点灯率が閾値以下の表示文字がないと判定された場合（ステップＳ５でＮＯ）、処理は「Ａ」からステップＳ１１に進む。
【０１２１】
点灯率が閾値以下の表示文字があると判定された場合（ステップＳ５でＹＥＳ）、表示制御部２８は、点灯率が閾値以下の表示文字を含む表示文字列および該表示文字列を含むブロックを特定する。
【０１２２】
表示制御部２８は、１つのブロック内または相互に隣接する複数のブロックの領域内で表示文字列を移動させて、表示文字列に含まれる各表示文字の点灯率が閾値を超える領域を検出する（ステップＳ６）。
【０１２３】
表示文字列に含まれる各表示文字の点灯率が閾値を超える領域が検出された場合（ステップＳ７でＹＥＳ）、表示制御部２８は、検出された領域に表示文字列を移動する（ステップＳ８）。そして、処理は「Ａ」からステップＳ１１に進む。
【０１２４】
一方、表示文字列に含まれる各表示文字列の点灯率が閾値を超える領域が検出されなかった場合（ステップＳ７でＮＯ）、処理は「Ｂ」からステップＳ９に進む。「Ｂ」以降の処理について、図２１のフローチャートを参照して説明する。
【０１２５】
表示制御部２８は、表示文字列を所定の縮尺で縮小する（ステップＳ９）。表示制御部２８は、例えば、故障していないＬＥＤに対応する画素の存在率が高い領域に表示文字列を移動して、該領域で表示文字列を縮小する。
【０１２６】
ステップＳ９の縮小を行った結果、判定部２６が、表示文字列に点灯率が閾値以下の表示文字がないと判定したとする（ステップＳ１０でＮＯ）。この場合、表示制御部２８は、表示文字列の移動および縮小がされた画像データ４０に基づく各表示文字がＬＥＤ表示部２に表示される制御を行う（ステップＳ１１）。
【０１２７】
図２０のステップＳ５でＮＯの場合、およびステップＳ７でＹＥＳの場合も、処理は「Ａ」からステップＳ１１に進む。画像データ４０に、点灯率が閾値以下の表示文字が含まれていない場合（ステップＳ５でＮＯ）、表示制御部２８は、画像データ作成部２２が作成した画像データ４０に基づく各表示文字がＬＥＤ表示部２に表示される制御を行う。これにより、ＬＥＤ表示部２には、表示文字列の移動および縮小がされていない交通情報が表示される。
【０１２８】
ステップＳ８の処理が行われた場合、表示制御部２８は、表示文字列が移動された画像データ４０に基づく各表示文字がＬＥＤ表示部２に表示されるように表示制御を行う。これにより、ＬＥＤ表示部２には、表示文字列が移動された交通情報が表示される。
【０１２９】
ステップＳ９において表示文字列が縮小された後、表示文字列に点灯率が閾値以下の表示文字があると判定された場合（ステップＳ１０でＹＥＳ）、表示制御部２８は、ＬＥＤ表示部２を非表示にする（ステップＳ１１）。
【０１３０】
例えば、表示制御部２８は、交通情報が反映されていない画像データに基づく表示がされるようにＬＥＤ表示部２を制御してもよい。また、表示制御部２８は、ＬＥＤ表示部２の全てのＬＥＤを消灯する制御を道路表示板１に対して行ってもよい。この場合、ＬＥＤ制御部１２は、ＬＥＤ表示部２の全てのＬＥＤを消灯する。
【０１３１】
次に、図２２のフローチャートを参照して、ステップＳ６のサブルーチンについて説明する。上述したように、画像データ４０の所定領域は複数のブロックに分割され、各ブロックには表示文字列が含まれる。
【０１３２】
判定部２６は、画像データ４０のうち所定領域が分割された各ブロックのそれぞれについて、点灯率が閾値以下の表示文字があるかを判定する（ステップＳ６−１）。ステップＳ６の処理は、点灯率が閾値以下の表示文字が画像データ４０に含まれている場合に行われる。
【０１３３】
判定部２６は、点灯率が閾値以下であると判定した表示文字を含むブロックを特定する（ステップＳ６−２）。そして、判定部２６は、特定されたブロックについて、該ブロックに隣接する他のブロックとの間の境界に最も近い表示文字の点灯率が閾値以下であるかを判定する（ステップＳ６−３）。
【０１３４】
ステップＳ６−３でＹＥＳの場合、表示制御部２８は、特定されたブロック内で各表示文字の点灯率が閾値を超える領域を検出する（ステップＳ６−４）。一方、ステップＳ６−１でＮＯの場合、表示制御部２８は、特定されたブロックおよび該ブロックに隣接するブロックを含めた領域内で各表示文字の点灯率が閾値を超える領域を検出する（ステップＳ６−５）。
【０１３５】
＜その他＞
上述したように、実施形態では、道路表示板１のＬＥＤ表示部２に表示される１または複数の表示要素のうち点灯率が閾値以下の表示文字があると判定された場合に、表示制御部２８は、各表示要素の点灯率が閾値を超えるように、各表示要素の移動または縮小を行う。
【０１３６】
これにより、各表示要素の点灯率は閾値を超えるため、各表示要素の点灯率は高くなる。各表示要素の点灯率が高くなると、ＬＥＤ表示部２の各表示要素の視認性が良好になるため、良好な視認性で交通情報がＬＥＤ表示部２に表示される。
【０１３７】
ＬＥＤ表示部２の各表示要素の点灯率は１００％でなくても、閾値を超えるような点灯率であれば、各表示要素は高い点灯率でＬＥＤ表示部２に表示されるため、ＬＥＤ表示部２に表示される各表示要素は良好な視認性で表示される。
【０１３８】
例えば、ある表示要素に割り当てられた多くのＬＥＤのうち、故障しているＬＥＤの数が１つの場合、表示要素の視認性には殆ど影響がないと考えられる。このように、良好な視認性でＬＥＤ表示部２に表示されている表示要素が移動または縮小されると、却って視認性が低下する場合がある。
【０１３９】
上述したように、画像データ作成部２２は、適正な位置およびサイズで各表示要素をＬＥＤ表示部２に表示させる画像データを作成する。この場合、ＬＥＤ表示部２には、適正な位置およびサイズで各表示要素が表示される。
【０１４０】
適正な位置およびサイズでＬＥＤ表示部２に表示された表示要素が移動または縮小されると、ＬＥＤ表示部２に表示された交通情報の視認性が低下する。
【０１４１】
そこで、実施形態では、表示制御部２８は、点灯率が閾値以下の表示要素があると判定された場合に、表示要素の移動または縮小を行う。このため、ＬＥＤ表示部２に表示された各表示要素の点灯率が閾値を超えている場合には、表示要素の移動または縮小は行われない。
【０１４２】
これにより、各表示要素の点灯率が閾値を超えている場合には、ＬＥＤ表示部２には、適正な位置およびサイズで各表示要素が表示され、ＬＥＤ表示部２には良好な視認性で交通情報が表示される。
【０１４３】
上述した実施形態では、表示制御装置３と道路表示板１とがネットワークＮＷを介して接続されている例について説明したが、表示制御装置３は道路表示板１に含まれていてもよい。図２３は、表示制御装置３を含む道路表示板１の一例を示している。
【０１４４】
ＬＥＤ制御部１２は、ＬＥＤ表示部２の各ＬＥＤの点灯制御を行う。故障ＬＥＤ検出部１３は、ＬＥＤ表示部２の各ＬＥＤのうち故障しているＬＥＤを検出して、故障情報を作成する。
【０１４５】
画像データ作成部２２は、交通情報が反映された画像データ４０を作成する。故障情報反映部２４は、故障ＬＥＤ検出部１３が作成した故障情報を画像データ４０に反映させる。算出部２５は、画像データ４０に含まれる各表示文字の点灯率を算出する。
【０１４６】
判定部２６は、記憶部２７が記憶しているテーブルを参照して、表示文字ごとに、表示文字の点灯率が閾値以下であるかを判定する。表示制御部２８は、判定部２６の判定結果に基づいて、ＬＥＤ制御部１２を制御して、ＬＥＤ表示部２に表示される交通情報の表示制御を行う。
【０１４７】
＜変形例＞
次に、変形例について説明する。変形例の表示制御装置３は、上述した実施形態の表示制御装置３の各部の他、画面部５１および入力部５２を含む。画面部５１は、所定の情報を表示する。入力部５２は、例えば、キーボードやプッシュボタン等であり、所定の操作を行うために設けられる。
【０１４８】
画面部５１には、例えば、図２５に一例として示す処理前画像４０Ａおよび処理後画像４０Ｂが表示される。処理前画像４０Ａは、第１画像データの一例である。処理後画像４０Ｂは、第２画像データの一例である。
【０１４９】
処理前画像４０Ａは、画像データ４０に交通情報および故障情報が反映され、且つ画像データ４０に対して表示要素の移動および縮小の画像処理がされていない画像データである。処理後画像４０Ｂは、処理前画像４０Ａに対して表示要素の移動および縮小の画像処理がされた画像データである。
【０１５０】
処理前画像４０Ａは、表示要素の移動および縮小がされる前の画像データ４０に基づくＬＥＤ表示部２の表示イメージである。処理後画像４０Ｂは、表示要素の移動および縮小がされた後の画像データ４０に基づくＬＥＤ表示部２の表示イメージである。従って、画面部５１は、両者の表示イメージを、例えば、表示制御装置３を操作するオペレータに対して提示することができる。
【０１５１】
次に、図２６および図２７を参照して、変形例の処理の流れの一例を示すフローチャートについて説明する。変形例のフローチャートにおいて、ステップＳ９までの処理は、上述した実施形態の処理と同じであるため、説明を省略する。
【０１５２】
ステップＳ１０において、表示文字列が移動および縮小された後に、表示文字列に含まれる表示文字のうち点灯率が閾値以下の表示文字があるかが判定される。
【０１５３】
ステップＳ１０でＹＥＳと判定された場合、表示制御装置３は、表示文字列の移動および縮小を行った場合でも、表示文字列に点灯率が閾値以下の表示文字がある旨の警告を行う（ステップＳ２１）。例えば、この警告は画面部５１に表示されてもよい。
【０１５４】
そして、画面部５１には、処理前画像４０Ａおよび処理後画像４０Ｂが表示される（ステップＳ２２）。変形例では、処理前画像４０Ａまたは処理後画像４０Ｂの何れかを入力部５２により選択することができるものとする。
【０１５５】
例えば、表示制御装置３を操作するオペレータが、入力部５２により、処理前画像４０Ａまたは処理後画像４０Ｂの何れかを選択した場合、表示制御装置３は、この選択操作を受け付ける。
【０１５６】
表示制御装置３が処理前画像４０Ａまたは処理後画像４０Ｂの何れかの選択を受け付けた場合（ステップＳ２３でＹＥＳ）、処理は「Ｃ」に進む。表示制御装置３が処理前画像４０Ａと処理後画像４０Ｂとの何れの選択も受け付けなかった場合（ステップＳ２３でＮＯ）、表示制御部２８は、ＬＥＤ表示部２を非表示にする（ステップＳ２４）。
【０１５７】
「Ｃ」以降の処理について、図２７のフローチャートを参照して、説明する。処理前画像４０Ａが選択されたことを表示制御装置３が受け付けた場合（ステップＳ２５でＹＥＳ）、表示制御部２８は、道路表示板１に処理前画像４０Ａを送信する設定を行う（ステップＳ２６）。
【０１５８】
入力部５２により、処理後画像４０Ｂが選択されたことを表示制御装置３が受け付けた場合（ステップＳ２５でＮＯ）、表示制御部２８は、道路表示板１に処理後画像４０Ｂを送信する設定を行う（ステップＳ２７）。
【０１５９】
ステップＳ２６またはステップＳ２７の処理が実行された後、処理は「Ｄ」から図２６のステップＳ１１に進む。ステップＳ２６が実行された場合、表示制御部２８は、設定された処理前画像４０Ａが道路表示板１に送信されるように制御する。ステップＳ２７が実行された場合、表示制御部２８は、設定された処理後画像４０Ｂが道路表示板１に送信されるように制御する。
【０１６０】
これにより、ＬＥＤ表示部２には、選択された処理前画像４０Ａまたは処理後画像４０Ｂの何れかの画像データ４０に基づく各表示要素が表示される。また、処理前画像４０Ａと処理後画像４０Ｂとの何れも選択されなかった場合には、ＬＥＤ表示部２は非表示にされる。
【０１６１】
変形例では、ステップＳ１０でＹＥＳの場合、その時点で、表示制御部２８はＬＥＤ表示部２を非表示にする制御を行うのではなく、表示制御装置３は、画面部５１に選択肢を表示する。これにより、表示制御装置３は、各道路表示板１の表示制御を柔軟に行うことができる。
【０１６２】
ステップＳ２２の処理前画像４０Ａおよび処理後画像４０Ｂの表示は、ステップＳ１０でＹＥＳの場合だけでなく、任意のタイミングで行われてもよい。例えば、ステップＳ１０でＮＯの場合に、処理前画像４０Ａおよび処理後画像４０Ｂが画面部５１に表示されてもよい。
【０１６３】
＜表示制御装置のハードウェア構成の一例＞
次に、図２８の例を参照して、表示制御装置３のハードウェア構成の一例を説明する。図２８の例に示すように、バス１００に対して、プロセッサ１１１とRandom Access Memory(RAM)１１２とRead Only Memory(ROM)１１３と補助記憶装置１１４とが接続されている。また、バス１００に対して、媒体接続部１１５と通信インターフェイス１１６と入力インターフェイス１１７とディスプレイインターフェイス１１８とが接続されている。図２８において、インターフェイスは「ＩＦ」と表記してある。
【０１６４】
プロセッサ１１１は任意の処理回路である。プロセッサ１１１はＲＡＭ１１２に展開されたプログラムを実行する。実行されるプログラムとしては、実施形態の処理を行うプログラムを適用してもよい。ＲＯＭ１１３はＲＡＭ１１２に展開されるプログラムを記憶する不揮発性の記憶装置である。
【０１６５】
補助記憶装置１１４は、種々の情報を記憶する記憶装置であり、例えばハードディスクドライブや半導体メモリ等を補助記憶装置１１４に適用してもよい。媒体接続部１１５は、可搬型記録媒体１１９と接続可能に設けられている。
【０１６６】
可搬型記録媒体１１９は、可搬型のメモリや光学式ディスク（例えば、Compact Disc(CD)やDigital Versatile Disc(DVD)）、半導体メモリ等であってもよい。この可搬型記録媒体１１９に実施形態の処理を行うプログラムが記録されていてもよい。
【０１６７】
通信インターフェイス１１６は、通信を行うインターフェイスである。入力インターフェイス１１７は、キーボード１２１に接続されるインターフェイスである。ディスプレイインターフェイス１１８は、ディスプレイ１２２と接続されるインターフェイスである。
【０１６８】
表示制御装置３のうち、画像データ作成部２２と故障情報取得部２３と故障情報反映部２４と算出部２５と判定部２６と表示制御部２８とは、プロセッサ１１１が与えられたプログラムを実行するにことにより、実現されてもよい。
【０１６９】
第２通信部２１は、通信インターフェイス１１６により実現されてもよい。記憶部２７は、ＲＡＭ１１２や補助記憶装置１１４により実現されてもよい。画面部５１は、ディスプレイ１２２により実現されてもよい。入力部５２は、キーボード１２１により実現されてもよい。
【０１７０】
ＲＡＭ１１２、ＲＯＭ１１３、補助記憶装置１１４および可搬型記録媒体１１９は、何れもコンピュータ読み取り可能な有形の記憶媒体の一例である。これらの有形な記憶媒体は、信号搬送波のような一時的な媒体ではない。
【０１７１】
＜その他＞
本実施形態は、以上に述べた実施の形態に限定されるものではなく、本実施形態の要旨を逸脱しない範囲内で種々の構成または実施形態を取ることができる。
【符号の説明】
【０１７２】
１    道路表示板
２    ＬＥＤ表示部
３    表示制御装置
４    表示制御システム
１０    道路表示板制御部
１２    ＬＥＤ制御部
１３    故障ＬＥＤ検出部
２２    画像データ作成部
２３    故障情報取得部
２４    故障情報反映部
２５    算出部
２６    判定部
２７    記憶部
２８    表示制御部
４０    画像データ
５１    画面部
５２    入力部
１１１    プロセッサ
１１２    ＲＡＭ
１１３    ＲＯＭ
【図１】
2017015943.tif 000003
【図２】
2017015943.tif 000004
【図３】
2017015943.tif 000005
【図４】
2017015943.tif 000006
【図５】
2017015943.tif 000007
【図６】
2017015943.tif 000008
【図７】
2017015943.tif 000009
【図８】
2017015943.tif 000010
【図９】
2017015943.tif 000011
【図１０】
2017015943.tif 000012
【図１１】
2017015943.tif 000013
【図１２】
2017015943.tif 000014
【図１３】
2017015943.tif 000015
【図１４】
2017015943.tif 000016
【図１５】
2017015943.tif 000017
【図１６】
2017015943.tif 000018
【図１７】
2017015943.tif 000019
【図１８】
2017015943.tif 000020
【図１９】
2017015943.tif 000021
【図２０】
2017015943.tif 000022
【図２１】
2017015943.tif 000023
【図２２】
2017015943.tif 000024
【図２３】
2017015943.tif 000025
【図２４】
2017015943.tif 000026
【図２５】
2017015943.tif 000027
【図２６】
2017015943.tif 000028
【図２７】
2017015943.tif 000029
【図２８】
2017015943.tif 000030